(57)【要約】【課題】着座面の状態を使用者の好みに応じて十分に調整可能な便座を提供する。【解決手段】補高便座としての便座１は、基部１１と、基部１１の上側に設けられた複数体のバッグ２０、２１、２２ａ、２２ｂ、２３とを備える。  各バッグ２０、２１、２２ａ、２２ｂ、２３は隣接するもの同士が隔膜を共有しつつ、各々独立して任意量の流体を封入可能とされ、最上面に位置するバッグ２０の表面が着座面１２とされている。着座面１２は伸縮可能な膜材からなっている。【選択図】図５
2007151997.tif 000002
【特許請求の範囲】
【請求項１】
基部と、該基部の上側に設けられた複数体のバッグとを備え、
各該バッグは隣接するもの同士が隔膜を共有しつつ、各々独立して任意量の流体を封入可能とされ、
最上面に位置する少なくとも１体の該バッグの表面が着座面とされていることを特徴とする便座。
【請求項２】
前記着座面は伸縮可能な膜材からなることを特徴とする請求項１記載の便座。
【請求項３】
前記各バッグの少なくとも２体以上は、垂直方向に並べられている請求項１又は２記載の便座。
【請求項４】
前記各バッグの少なくとも２体以上は、水平方向に並べられている請求項１乃至３のいずれか１項記載の便座。
【請求項５】
洋風便器上に設けられて中央にＯ字状又はＵ字状の開口が形成された既存便座上に載置され、前記着座面を該既存便座よりも高くする請求項１乃至４のいずれか１項記載の便座。
【発明の詳細な説明】
【技術分野】
【０００１】
本発明は便座に関する。
【背景技術】
【０００２】
特許文献１に従来の便座が開示されている。この便座は、基部と、基部の上側に設けられ、任意量の流体を封入可能とされた１体のバッグと、バッグの上側に載置され、表面が着座面とされる便座本体とを備えている。バッグには、バッグ内に空気を供給し、又はバッグ内から空気を排出するポンプが接続されている。
【０００３】
このような構成である特許文献１開示の便座は、バッグ内に封入される空気の量を増減させることにより、便座本体を上下動させることができる。このため、着座面の高さを使用者の好みに合わせて調整したり、使用者が着座する際にバッグ内の空気の一部を排出して、着座の衝撃を弱めたりすることが可能となっている。
【０００４】
ところで、便座に対しては、使用者が着座面に着座しているときの感触を使用者の好みに応じて調整したいという要望がある。使用者の好みの着座面としては、具体例として、柔らかいもの、適度な弾力性を有するもの、臀部の形状に追従し易いもの等が挙げられる。
【０００５】
この点、特許文献１開示の便座では、便座本体の材質は、特に明記されていないものの、説明及び図面等から一般的な市販品に採用される硬質樹脂等の硬質材料製であると推測される。このため、この便座では、使用者が着座面に着座しているときの感触を好みに応じて調整することが困難であった。
【０００６】
これに対して、特許文献２に従来の便座クッションが開示されている。この便座クッションは、クッション材からなる芯材と、芯材を非接着状態で内包し、任意量の空気を封入可能とされ、自身の表面が着座面とされるバッグとを備える。バッグは、封入された流体の量を調整可能な栓部材を有する。
【０００７】
このような構成である特許文献２の便座クッションは、芯材が復元力を発揮し得る範囲で、バッグ内に封入された空気の量を調整することにより、使用者の好みに応じて、好みの形、高さ、硬さなど調整し、その形態を保持できる。
【０００８】
【特許文献１】特開平９−９４１８４号公報の図４
【特許文献２】特開２００１−１６１６０１号公報
【発明の開示】
【発明が解決しようとする課題】
【０００９】
しかし、特許文献１の便座及び特許文献２の便座クッションの構成に鑑み、特許文献１の便座から便座本体を取り除いてバッグの上面を着座面とすることを試みる場合、下記の通り、問題があった。
【００１０】
すなわち、着座面を柔らかくしようとして、自身の上面が着座面とされるバッグに封入される空気の量を減らすと、同時に着座面の高さも低くなり、バッグの内圧低下によってバッグの形態安定性も低下してしまう。このように、特許文献１の便座から便座本体を取り除き、バッグの上面を着座面とするだけでは、着座面の状態を使用者の好みに応じて調整しようとしても、柔らかさ、高さ及び形態保持性が同時に変化してしまうこととなり、使用者の好みに応じて十分に調整することが難しかった。
【００１１】
また、特許文献２の構成によりバッグに芯材を内包すれば、形態安定性がある程度改善されるものの、同様の理由で使用者の好みに応じて調整することは不十分である。
【００１２】
さらに、特許文献１、２の構成では、着座面が一つのバッグから構成されることとなるため、着座面の一部分だけを使用者の好みに応じて調整することができなかった。
【００１３】
本発明は、上記従来の実情に鑑みてなされたものであって、着座面の状態を使用者の好みに応じて十分に調整可能な便座を提供することを解決すべき課題としている。
【課題を解決するための手段】
【００１４】
本発明の便座は、基部と、該基部の上側に設けられた複数体のバッグとを備え、
各該バッグは隣接するもの同士が隔膜を共有しつつ、各々独立して任意量の流体を封入可能とされ、
最上面に位置する少なくとも１体の該バッグの表面が着座面とされていることを特徴とする。
【００１５】
このような構成である本発明の便座は、各バッグ内に封入される流体の量を各々独立して任意に増減させることにより、着座面の全体を上下動させるだけでなく、着座面の一部を上下動させることができる。また、この便座は、最上面に位置する少なくとも１体のバッグの表面が着座面とされていることにより、着座面の少なくとも一部のクッション性を硬くしたり柔らかくしたりすることもできる。さらに、この便座は、各バッグの少なくとも一部の形状を大きくしたり小さくしたりして、着座面の形態を変更することもできる。
【００１６】
これらの際、各バッグは、実用新案登録第３１０６３５６号公報に記載されている便座用空気クッションとは異なり、隣接するもの同士が隔膜を共有しているので、複数体のバッグが常に一体となっており、高い形態保持性を有する。
【００１７】
こうして、この便座は、柔らかさ、高さ及び形態保持性が同時に変化してしまうという従来の便座の不具合を生じ難く、使用者の好みに応じて、形、高さ、硬さ等を調整し、その形態を保持できる。
【００１８】
したがって、本発明の便座は、着座面の状態を使用者の好みに応じて十分に調整することが可能である。
【００１９】
バッグを構成する膜材としては、流体を封入可能であればどのようなものでもよく、特定のものに限定されない。バッグを構成する膜材の具体例としては、ゴム、ビニール、ウレタン又はアルミ等からなる膜材を採用できる。
【００２０】
バッグに封入される流体としては、空気、窒素その他の気体、又は、水、湯その他の液体等の一般的な流体を採用できる。
【００２１】
本発明の便座において、前記着座面は伸縮可能な膜材からなることが好ましい。この場合、着座面に皺が生じることを抑制できるので、着座面を常に平滑に維持することができ、使用者に不快感を与えることがない。このため、この便座は、本発明の効果を確実に奏することができる。
【００２２】
伸縮可能な膜材としては、流体を封入可能かつ伸縮可能なものであればどのようなものでもよく、特定のものに限定されない。伸縮可能な膜材の具体例としては、ゴム、ビニール又はウレタン等からなる膜材を採用できる。
【００２３】
本発明の便座において、前記各バッグの少なくとも２体以上は、垂直方向に並べられているものであり得る。この場合、この便座は、着座面の上下動をより細かく調整することができる。このため、この便座は、本発明の効果をより確実に奏することができる。
【００２４】
本発明の便座において、前記各バッグの少なくとも２体以上は、水平方向に並べられているものであり得る。この場合、この便座は、着座面の一部を上下動させることをより細かく調整することができる。また、この便座は、着座面の少なくとも一部のクッション性を硬くしたり柔らかくしたりすることをより細かく調整することができる。このため、この便座は、本発明の効果を一層確実に奏することができる。
【００２５】
本発明の便座は、洋風便器上に設けられて中央にＯ字状又はＵ字状の開口が形成された既存便座上に載置され、前記着座面を該既存便座よりも高くするものであり得る。
【００２６】
この場合、使用者は、補高便座としての本発明の便座を既存便座に後付けすることによって、本発明の効果を享受することができる。このため、使用者は、既存便座を取り替える必要がなく、改修費用の低廉化を図ることができる。
【発明を実施するための最良の形態】
【００２７】
以下、本発明を具体化した実施例１を図面を参照しつつ説明する。
【実施例１】
【００２８】
図１に示すように実施例１の便座１は補高便座であり、洋風便器９０上に設けられて中央にＯ字状の開口９１ａが形成された既存便座９１上に載置されるものである。
【００２９】
便座１は、図２から図４に示すように、Ｏ字状の基部１１と、基部１１の上側に設けられた複数体のバッグ２０、２１、２２ａ、２２ｂ、２３とを備えている。
【００３０】
基部１１は、樹脂製の一体成形品であり、基部１１の裏面１４の内縁側から下方に垂設されるフランジ１３を有する。フランジ１３は、既存便座９１に形成された開口９１ａに適合する大きさとされており、便座１が既存便座９１に載置される際に、図５に示すように、既存便座９１に開口９１ａに挿入されて、便座１を既存便座９１に位置決め固定することが可能となっている。
【００３１】
図２及び図４に示すように、複数体のバッグ２０、２１、２２ａ、２２ｂ、２３のうち、バッグ２１は基部１１の上面の前方部に、バッグ２２ａ、２２ｂは基部１１の上面の側方部に、バッグ２３は基部１１の上面の後方部に配設されている。他方、バッグ２０はＯ字状のものであり、バッグ２１、２２ａ、２２ｂ、２３の上側に配設されている。そして、最上面に位置するバッグ２０の表面が着座面１２とされている。
【００３２】
各バッグ２０、２１、２２ａ、２２ｂ、２３は、流体を封入可能かつ伸縮可能な樹脂製の膜材により構成されており、図４に示すように、内部に流体を封入する独立した空間が形成されている。各バッグ２０、２１、２２ａ、２２ｂ、２３には、図示しない流体供給／排出孔が設けられており、各々独立して任意量の流体を封入可能とされている。このため、各バッグ２０、２１、２２ａ、２２ｂ、２３は、内部に封入される流体の量を増減させることにより膨張又は収縮するようになっている。なお、流体としては、取り扱いが容易な空気や水を採用することが好ましい。
【００３３】
また、各バッグ２０、２１、２２ａ、２２ｂ、２３は、隣接するもの同士が隔膜を共有している。より具体的には、各バッグ２０、２１、２２ａ、２２ｂ、２３を構成する膜材の隣接する部分が接着、熱融着その他の一般的な方法により一体化されて隔膜とされている。このため、各バッグ２０、２１、２２ａ、２２ｂ、２３は、常に一体となっている。
【００３４】
このような構成である実施例１の便座１は、図５に示すように、既存便座９１上に載置される。そして、この便座１は、各バッグ２０、２１、２２ａ、２２ｂ、２３内に封入される流体の量を各々独立して任意に増減させることにより、着座面１２の全体を上下動させるだけでなく、着座面１２の一部を上下動させることができる。また、この便座１は、最上面に位置するバッグ２０の表面が着座面１２とされていることにより、着座面１２のクッション性を硬くしたり柔らかくしたりすることもできる。さらに、この便座１は、各バッグ２０、２１、２２ａ、２２ｂ、２３の少なくとも一部の形状を大きくしたり小さくしたりして、着座面１２の形態を変更することもできる。
【００３５】
これらの際、各バッグ２０、２１、２２ａ、２２ｂ、２３は、隣接するもの同士が隔膜を共有しているので、複数体のバッグ２０、２１、２２ａ、２２ｂ、２３が常に一体となっており、高い形態保持性を有している。
【００３６】
こうして、この便座１は、柔らかさ、高さ及び形態保持性が同時に変化してしまうという従来の便座の不具合を生じ難く、使用者の好みに応じて、形、高さ、硬さ等を調整し、その形態を保持することができる。
【００３７】
したがって、実施例１の便座１は、着座面の状態を使用者の好みに応じて十分に調整することが可能となっている。
【００３８】
また、この便座１において、着座面１２は伸縮可能な樹脂製の膜材からなっていることから、着座面１２に皺が生じることを抑制できている。このため、この便座１は、着座面１２を常に平滑に維持することができており、使用者に不快感を与えることがなくなっている。
【００３９】
さらに、この便座１において、バッグ２０とバッグ２１、２２ａ、２２ｂ、２３とは、垂直方向に並べられている。このため、この便座１は、上側のバッグ２０及び下側のバッグ２１、２２ａ、２２ｂ、２３の膨張又は収縮を調整することにより、着座面１２の上下動をより細かく調整することが可能となっている。
【００４０】
また、この便座１において、各バッグ２１、２２ａ、２２ｂ、２３は、水平方向に並べられている。このため、この便座１は、各バッグ２１、２２ａ、２２ｂ、２３の少なくとも一体の膨張又は収縮を調整することにより、着座面１２の一部を上下動させることをより細かく調整したり、着座面１２の少なくとも一部のクッション性を硬くしたり柔らかくしたりすることをより細かく調整したりすることも可能となっている。
【００４１】
さらに、この便座１は、洋風便器９０上に設けられて中央にＯ字状の開口９１ａが形成された既存便座９１上に載置され、着座面１２を既存便座９１よりも高くするものである。このため、使用者は、補高便座としての実施例１の便座１を既存便座９１に後付けすることによって、本発明の効果を享受することができている。このため、使用者は、既存便座９１を取り替える必要がなく、改修費用の低廉化を図ることができている。
【００４２】
以上において、本発明を実施例１に即して説明したが、本発明は上記実施例１に制限されるものではなく、その趣旨を逸脱しない範囲で適宜変更して適用できることはいうまでもない。
【産業上の利用可能性】
【００４３】
本発明は便座に利用可能である。
【図面の簡単な説明】
【００４４】
【図１】実施例１の便座及び便座が載置される洋風便器の斜視図である。。
【図２】実施例１の便座の概略断面図である。
【図３】実施例１の便座の下面図である。
【図４】実施例１の便座に係り、図２のＡ−Ａ断面図である。
【図５】実施例１の便座に係り、洋風便器に位置決め固定した状態を示す概略断面図である。
【符号の説明】
【００４５】
１１…基部
１２…着座面
２０、２１、２２ａ、２２ｂ、２３…バッグ
９０…洋風便器
９１…既存便座
９１ａ…開口
【図１】
2007151997.tif 000003
【図２】
2007151997.tif 000004
【図３】
2007151997.tif 000005
【図４】
2007151997.tif 000006
【図５】
2007151997.tif 000007